(57)【特許請求の範囲】
【請求項１】
本体前面上部の吸込口から本体前面下部の吸出口までの空気通路上に設けられた送風用ファンと、
送風用ファンの周囲に設けられ、垂直部と当該垂直部の上端から延び上部を後方に後退させた後方傾斜部とを有する熱交換器と、
前記熱交換器の前記垂直部の下方に設けられ前記熱交換機のドレン水を受けるドレンパンと、
前記熱交換器の前記垂直部および前記後方傾斜部の前面に設けられた補助熱交換器と、
前記補助熱交換器の下方に設けられ、前記補助熱交換器のドレン水を前記ドレンパンに導く露受けガイドとを有する空気調和機において、
前記熱交換器は前面側に溝が形成され、
前記補助熱交換器は前記熱交換器の前記垂直部の前面に設けられた部分の上端部と前記後方傾斜部の前面に設けられた部分の下端部とが接合され後方傾斜部の前面に設けられた部分のドレン水が前記熱交換器の溝に入り込むことなく前記垂直部の前面に設けられた部分を伝って前記露受けガイドに向かうようにされている
ことを特徴とする空気調和機。
【請求項２】
前記露受けガイドと前記垂直部の前面との間に隙間を設けたことを特徴とする請求項１に記載の空気調和機。
【請求項３】
前記露受けガイドは、前記補助熱交換器の伝熱管に係止する係止部を備えたことを特徴とする請求項１に記載の空気調和機。
【請求項４】
前記露受けガイドは、前記垂直部の伝熱管に係止する係止部を備えたことを特徴とする請求項１に記載の空気調和機。
【請求項５】
前記露受けガイドの下方に露受けリブを設けたことを特徴とする請求項１から４のいずれか一つに記載の空気調和機。
【請求項６】
前記露受けガイドは、その先端部の水平位置を、前記ドレンパンの先端部の水平位置から該ドレンパン内部側に引き込んだ位置に設けたことを特徴とする請求項１から５のいずれか一つに記載の空気調和機。
【請求項７】
前記露受けガイドは、前記補助熱交換器と垂直部との間に挿入される挿入部を備えたことを特徴とする請求項１，２，５または６に記載の空気調和機。
【請求項８】
前記露受けガイドは、ポリプロピレン材またはポリオキシメチレン材によって形成されたことを特徴とする請求項１から７のいずれか一つに記載の空気調和機。
【発明の詳細な説明】
【０００１】
【発明の属する技術分野】
この発明は、本体前面上部の吸込口から本体前面下部の吸出口までの空気通路上に設けられた送風用ファンと、送風用ファンの周囲に設けられ、垂直部とその上端を後方に傾斜した後方傾斜部および／またはその後端から下方に傾斜した下方傾斜部とからなる熱交換器と、前記垂直部または前記後方傾斜部の前面に設けられた補助熱交換器と、前記垂直部の下部にドレン水を排水するドレンパンとを有した空気調和機に関し、特に補助熱交換器から滴下するドレン水が熱交換器に導かれることを減少させて該ドレン水をドレンパンに排水することができる空気調和機に関するものである。
【０００２】
【従来の技術】
従来から、壁掛け式などの空気調和機の室内ユニットは、図８に示すように、室内ユニット本体１の内部に熱交換器２が設けられる。熱交換器２は、垂直部２ａと、その上端から後方に傾斜した後方傾斜部２ｂと、その後端から下方に傾斜した下方傾斜部２ｃとを有する。すなわち、熱交換器２は、送風ファン１０の周囲を囲むように設けられ、熱交換が効率よく行われるようにしている。送風ファン１０は、室内ユニット本体１前面上部に設けられた吸込口１ａから空気を吸い込み、熱交換器２を介して熱交換を行わせ、破線矢印で示すように、熱交換が行われた空気を、室内ユニット本体１下部に設けられた吸出口１ｂから外部に吐き出す。
【０００３】
垂直部２ａと後方傾斜部２ｂとの係合部には、前方を開放したＶ字状溝部２ｄが形成され、このＶ字状溝部２ｄに、Ｖ字状凸部３ａを有した補助熱交換器３が係合される。この補助熱交換器３の下部には、伝熱管５に係合する複数の係止部４ａを有する露受けガイド４が設けられる。
【０００４】
補助熱交換器３に着露したドレン水６は、Ｖ字状凸部３ａからＶ字状溝部２ｄを通り、垂直部２ａに排水され、あるいは、実線矢印で示すように、先端部４ｂから熱交端部４ｃへの傾斜を有する露受けガイド４を通り、垂直部２ａに導かれて排水される。垂直部２ａに導かれたドレン水６は、下部に設けられたドレンパン７に排水され、回収される。
【０００５】
【発明が解決しようとする課題】
しかしながら、上述した従来の空気調和機では、吸込口裏側のＶ字状溝部２ｄとＶ字状凸部３ａとの係合部から、補助熱交換器３のドレン水が垂直部２ａに排水されるため、このドレン水によって垂直部２ａにおける吸込面積が減少し、送風ファン１０による送風能力が低下するという問題点があった。
【０００６】
また、補助熱交換器３のＶ字状凸部３ａとＶ字状溝部２ｄとの係合部では、擦れによる軋み音が発生するとともに、Ｖ字状凸部３ａの材料増加によるコストアップを余儀なくされるという問題点があった。
【０００７】
この発明は上記に鑑みてなされたもので、補助熱交換器３のＶ字状凸部３ａとＶ字状溝部２ｄとの係合部をなくし、補助熱交換器３のドレン水を極力、熱交換器２に導かないようにし、補助熱交換器３のドレン水を円滑に排水するとともに、送風ファン１０の送風能力の低下防止、係合部の軋み音の排除、およびコスト低減を図ることができる空気調和機を得ることを目的とする。
【０００８】
【課題を解決するための手段】
上記目的を達成するため、この発明にかかる空気調和機は、本体前面上部の吸込口から本体前面下部の吸出口までの空気通路上に設けられた送風用ファンと、送風用ファンの周囲に設けられ、垂直部と当該垂直部の上端から延び上部を後方に後退させた後方傾斜部とを有する熱交換器と、前記熱交換器の前記垂直部の下方に設けられ前記熱交換機のドレン水を受けるドレンパンと、前記熱交換器の前記垂直部および前記後方傾斜部の前面に設けられた補助熱交換器と、前記補助熱交換器の下方に設けられ、前記補助熱交換器のドレン水を前記ドレンパンに導く露受けガイドとを有する空気調和機において、前記熱交換器は前面側に溝が形成され、前記補助熱交換器は前記熱交換器の前記垂直部の前面に設けられた部分の上端部と前記後方傾斜部の前面に設けられた部分の下端部とが接合され後方傾斜部の前面に設けられた部分のドレン水が前記熱交換器の溝に入り込むことなく前記垂直部の前面に設けられた部分を伝って前記露受けガイドに向かうようにされていることを特徴とする。
【０００９】
この発明によれば、補助熱交換器の下方に設けられた露受けガイドが、補助熱交換器のドレン水をドレンパン側に導く。ここで、補助熱交換器の熱交換器の後方傾斜部の前面に設けられた部分のドレン水が熱交換器の溝に入り込むことなく垂直部の前面に設けられた部分を伝って露受けガイドに向かうようにされているので、熱交換器の溝を介して流れるドレン水によって熱交換器の吸込面積が減少することがなく、送風ファンの送風能力低減を抑止することができる。また、後方傾斜部前面の補助熱交換器からのドレン水は、溝に入り込むことなく、そのまま垂直部前面の補助熱交換器に導かれて排水されるため、送風ファンの低減をさらに抑えることができる。
【００１２】
つぎの発明にかかる空気調和機は、上記の発明において、前記露受けガイドと前記垂直部の前面との間に隙間を設けたことを特徴とする。
【００１３】
この発明によれば、露受けガイドと垂直部の前面との間に隙間が設けられるため、補助熱交換器のドレン水は、垂直部に導かれず、直接ドレンパンに排水される。この結果、補助熱交換器のドレン水は、垂直部に侵入しないため、垂直部の吸込面積の減少が抑えられ、送風ファンの送風能力低減をさらに抑えることができる。
【００１４】
つぎの発明にかかる空気調和機は、上記の発明において、前記露受けガイドは、前記補助熱交換器の伝熱管に係止する係止部を備えたことを特徴とする。
【００１５】
この発明によれば、前記露受けガイドの係止部が、補助熱交換器の伝熱管に係止され、露受けガイドを確実に固定する。
【００１６】
つぎの発明にかかる空気調和機は、上記の発明において、前記露受けガイドは、前記垂直部の伝熱管に係止する係止部を備えたことを特徴とする。
【００１７】
この発明によれば、前記露受けガイドの係止部が、垂直部の伝熱管に係止され、露受けガイドを確実に固定する。
【００１８】
つぎの発明にかかる空気調和機は、上記の発明において、前記露受けガイドの下方に露受けリブを設けたことを特徴とする。
【００１９】
この発明によれば、露受けガイドの下方に設けられた露受けリブが、ドレン水の冷却によって生じた露受けガイドの水滴を受け止め、ドレンパンに排水するようにしている。
【００２０】
つぎの発明にかかる空気調和機は、上記の発明において、前記露受けガイドは、その先端部の水平位置を、前記ドレンパンの先端部の水平位置から該ドレンパン内部側に引き込んだ位置に設けたことを特徴とする。
【００２１】
この発明によれば、露受けガイドの先端部の水平位置を、ドレンパンの先端部の水平位置から該ドレンパン内部側に引き込んだ位置に設け、露受けガイドの水滴をドレンパン上に確実に滴下させるようにしている。
【００２２】
つぎの発明にかかる空気調和機は、上記の発明において、前記露受けガイドは、前記補助熱交換器と垂直部との間に挿入される挿入部を備えたことを特徴とする。
【００２３】
この発明によれば、露受けガイドの挿入部が、補助熱交換器と垂直部との間に挿入され、露受けガイドの動きを規制し、露受けガイドの傾斜を維持し、ドレン水の良好な排水を維持するようにしている。
【００２４】
つぎの発明にかかる空気調和機は、上記の発明において、前記露受けガイドは、ポリプロピレン材またはポリオキシメチレン材によって形成されたことを特徴とする。
【００２５】
この発明によれば、露受けガイドを摺動性の高いポリプロピレン材またはポリオキシメチレン材によって形成し、露受けガイドの擦れによる異音をなくすようにしている。
【００２６】
【発明の実施の形態】
以下に添付図面を参照して、この発明にかかる空気調和機の好適な実施の形態を詳細に説明する。
【００２７】
実施の形態１．
図１は、この発明の実施の形態１である空気調和機の構成を示す断面図である。図１において、室内ユニット本体１の内部に熱交換器２が設けられる。熱交換器２は、垂直部２ａと、その上端から後方に傾斜した後方傾斜部２ｂと、その後端から下方に傾斜した下方傾斜部２ｃとを有する。すなわち、熱交換器２は、送風ファン１０の周囲を囲むように設けられ、熱交換が効率よく行われるようにしている。送風ファン１０は、室内ユニット本体１前面上部に設けられた吸込口１ａから空気を吸い込み、熱交換器２を介して熱交換を行わせ、熱交換が行われた空気を、室内ユニット本体１下部に設けられた吸出口１ｂから外部に吐き出す。
【００２８】
垂直部２ａの前面および後方傾斜部２ｂの前面には、補助熱交換器３が設けられる。補助熱交換器３は、熱交換器２に追加した熱交換器であり、熱交換能力を向上させることができる。補助熱交換器３の下部には、露受けガイド４が設けられる。この露受けガイド４は、摺動性が高いＰＰ（ポリプロピレン）材あるいはＰＯＭ（ポリオキシメチレン）材によって形成され、擦れによる異音をなくすようにしている。
【００２９】
補助熱交換器３に着露したドレン水６は、実線矢印で示すように、補助交換器３を通り、先端部４ｂから熱交端部４ｃへの傾斜を有する露受けガイド４から、垂直部２ａに導かれる。垂直部２ａに導かれたドレン水６は、熱交換器２の下部に設けられたドレンパン７に排水され、回収される。
【００３０】
この補助熱交換器３には、Ｖ字状溝部９に係合するＶ字状凸部３ａがないため、図８に示したように、Ｖ字状溝部９（２ｄ）から流れるドレン水６によって、垂直部２ａの吸込面積が減少することがなくなり、送風ファン１０の送風能力が低減しない。また、後方傾斜部２ｂ前面の補助熱交換器３部分からのドレン水６も、Ｖ字状溝部９（２ｄ）に導かれることがないため、送風ファン１０の送風能力が低減しない。
【００３１】
この実施の形態１では、垂直部２ａと後方傾斜部２ｂとの間に形成されるＶ字状溝部９に係合する補助熱交換器３のＶ字状凸部が設けられないため、このＶ字状溝部９部分を介して流れるドレン水によって吸込面積が減少することがなく、送風ファン１０の送風能力低減を抑止することができる。また、後方傾斜部２ｂ前面の補助熱交換器３からのドレン水は、このＶ字状溝部９部分に導かれず、そのまま垂直部２ａ前面の補助熱交換器３に導かれて排水されるため、送風ファン１０の低減をさらに抑えることができる。さらに、この係合部分の擦れによる異音の発生が抑えられるとともに、Ｖ字状凸部の部材を必要としないため、小型軽量化が図られ、ひいてはコストの低減を図ることができる。
【００３２】
実施の形態２．
つぎに、この発明の実施の形態２について説明する。この実施の形態２では、上述した実施の形態１における露受けガイド４と垂直部２ａとの間に隙間を設け、露受けガイド４に導かれたドレン水を直接、ドレンパン７に排水するようにしている。
【００３３】
図２は、この発明の実施の形態２である空気調和機の露受けガイド４近傍の構成を示す断面図である。図２において、この空気調和機では、露受けガイド４と垂直部２ａとの間に隙間を設けている。この結果、補助熱交換器３に導かれたドレン水６は、露受けガイド４の傾斜部分に滴下し、垂直部２ａに導かれることなく、隙間における熱交端部４ｃ側を通って、ドレンパン７上に滴下し、排水される。
【００３４】
この実施の形態２では、補助熱交換器３に導かれたドレン水６が、垂直部２ａに導かれず、直接、隙間を通ってドレンパン７上に排水されるようにしているので、補助熱交換器３側から垂直部２ａに侵入するドレン水によって垂直部２ａの吸込面積が減少することがなくなり、結果として送風ファン１０の送風能力低減を防止することができる。
【００３５】
実施の形態３．
つぎに、この発明の実施の形態３について説明する。この実施の形態３では、上述した実施の形態２における露受けガイド４を、補助熱交換器３に固定させる係止部４ａを設けるようにしている。
【００３６】
図３は、この発明の実施の形態３である空気調和機の露受けガイド４近傍の構成を示す断面図である。図３において、この空気調和機では、露受けガイド４に係止部４ａを設けている。係止部４ａは、先端が「Ｃ」形状をなし、この「Ｃ」形状部分が、補助熱交換器３の伝熱管５に係止される。なお、係止部４ａは、露受けガイド４上の複数箇所に設けられる。これによって、露受けガイド４と垂直部２ａとの間の隙間を維持しつつ、露受けガイド４が補助熱交換器３に確実に固定される。
【００３７】
この実施の形態３では、係止部４ａによって露受けガイド４が補助熱交換器３に確実に固定されるため、露受けガイド４の傾斜が確実に維持され、ドレン水６をドレンパン７上に確実に排水することができる。
【００３８】
実施の形態４．
つぎに、この発明の実施の形態４について説明する。この実施の形態４では、上述した実施の形態１における露受けガイド４を、垂直部２ａに固定させる係止部４ｆを設けるようにしている。
【００３９】
図４は、この発明の実施の形態４である空気調和機の露受けガイド４近傍の構成を示す断面図である。図４において、この空気調和機では、露受けガイド４に係止部４ｆを設けている。係止部４ｆは、先端がツメ形状をなし、このツメ形状部分が、垂直部２ａの伝熱管５に係止される。なお、係止部４ｆは、露受けガイド４上の複数箇所に設けられる。これによって、露受けガイド４が垂直部２ａに確実に固定される。
【００４０】
この実施の形態４では、係止部４ｆによって露受けガイド４が垂直部２ａに確実に固定されるため、露受けガイド４の傾斜が確実に維持され、ドレン水６をドレンパン７上に確実に排水することができる。
【００４１】
実施の形態５．
つぎに、この発明の実施の形態５について説明する。この実施の形態５では、上述した実施の形態４における露受けガイド４の下部に露受けリブ４ｄを設けるようにしている。
【００４２】
図５は、この発明の実施の形態５である空気調和機の露受けガイド４近傍の構成を示す断面図である。図５において、この空気調和機では、露受けガイド４の下部に露受けリブ４ｄを設けている。露受けガイド４には、補助熱交換器３からドレン水６が導かれるが、このドレン水６によって、露受けガイド４が冷却され、露受けガイド４に水滴８が生成される。露受けリブ４ｄは、二次的に生成される、この水滴８を回収するために設けられている。露受けリブ４ｄに導かれた水滴８は、垂直部２ａを介してドレンパン７上に排水される。
【００４３】
この実施の形態５では、露受けリブ４ｄによって、二次的に生成される水滴８を確実に回収することができる。
【００４４】
実施の形態６．
つぎに、この発明の実施の形態６について説明する。この実施の形態６では、露受けガイド４の先端部４ｂの水平位置が、ドレンパン７の内側になるように、露受けガイド４を配置するようにしている。
【００４５】
図６は、この発明の実施の形態６である空気調和機の露受けガイド４近傍の構成を示す断面図である。図６において、この空気調和機では、露受けガイド４の先端部４ｂの水平位置が、ドレンパン７の内側となるように、露受けガイド４が配置される。これによって、露受けガイド４の表面に着いた水滴８は、確実にドレンパン７上に滴下し、回収することができる。この露受けガイド４の先端部４ｂと、ドレンパン７の先端部との水平距離ｄ１は、ドレンパン７の大きさと水滴８の回収の確実性を考慮し、たとえば３ｍｍ程度にするとよい。
【００４６】
この実施の形態６では、露受けガイド４の先端部４ｂの水平位置が、ドレンパン７の先端部から内側になるように位置させ、これによって、露受けガイド４に着いた水滴８の滴下を確実に受けて、回収することができる。
【００４７】
実施の形態７．
つぎに、この発明の実施の形態７について説明する。この実施の形態７では、露受けガイド４に、補助熱交換器３と垂直部２ａとの間隙であって、下端の一部間隙に挿入される挿入片４ｅが結合されるようにしている。
【００４８】
図７は、この発明の実施の形態７である空気調和機の露受けガイド４近傍の構成を示す断面図である。図７において、この空気調和機では、挿入片４ｅが結合された露受けガイド４を設け、この挿入片４ｅは、補助熱交換器３と垂直部２ａとの下部間隙に一部挿入され、補助熱交換器３と垂直部２ａとによって挟み込まれる。これによって、露受けガイド４の先端部４ｂが矢印Ａ１方向に揺れるのを規制する。この露受けガイド４の倒れの規制によって、露受けガイド４は、排水性のよい傾斜が維持される。
【００４９】
この実施の形態７では、露受けガイド４の挿入片４ｅが、補助熱交換器３と垂直部２ａとの間に挟み込まれる構成とし、露受けガイド４の倒れを規制しているので、露受けガイド４の傾斜を良好に維持し、良好な排水性を維持することができる。
【００５０】
【発明の効果】
以上説明したように、この発明によれば、補助熱交換器の垂直部の下部に設けられた露受けガイドが、補助熱交換器のドレン水をドレンパン側に導く。ここで、前記垂直部と後方傾斜部との間に形成されるＶ字状溝部に係合する補助熱交換器のＶ字状凸部が設けられないため、このＶ字状溝部とＶ字状凸部との係合部分を介して流れるドレン水によって吸込面積が減少することがなく、送風ファンの送風能力低減を抑止することができるという効果を奏する。また、後方傾斜部前面の補助熱交換器からのドレン水は、このＶ字状の係合部分に導かれず、そのまま垂直部前面の補助熱交換器に導かれて排水されるため、送風ファンの低減をさらに抑えることができるという効果を奏する。さらに、この係合部分の擦れによる異音の発生が抑えられるとともに、Ｖ字状凸部の部材を必要としないため、小型軽量化が図られ、ひいてはコストの低減を図ることができるという効果を奏する。
【００５１】
つぎの発明によれば、前記垂直部の前面に設けられた補助熱交換器の上端部と前記後方傾斜部の前面に設けられた補助熱交換器の下端部とを直接結合し、後方傾斜部の前面に設けられた補助熱交換器のドレン水を、垂直部の前面に設けられた補助熱交換器に直接導き、この補助熱交換器を介してドレンパン側に導くようにしているので、垂直部の吸込面積を減少させず、送風ファンの送風能力低減の抑止を確実に行うことができるという効果を奏する。
【００５２】
つぎの発明によれば、露受けガイドと垂直部の前面との間に隙間が設けられるため、補助熱交換器のドレン水は、垂直部に導かれず、直接ドレンパンに排水される。この結果、補助熱交換器のドレン水は、垂直部に侵入しないため、垂直部の吸込面積の減少が抑えされ、送風ファンの送風能力低減をさらに抑えることができるという効果を奏する。
【００５３】
つぎの発明によれば、前記露受けガイドの係止部が、補助熱交換器の伝熱管に係止され、露受けガイドを確実に固定するようにしているので、ドレン水を確実にドレンパン上に排水し、回収することができるという効果を奏する。
【００５４】
つぎの発明によれば、前記露受けガイドの係止部が、垂直部の伝熱管に係止され、露受けガイドを確実に固定するようにしているので、ドレン水を確実にドレンパン上に排水し、回収することができるという効果を奏する。
【００５５】
つぎの発明によれば、露受けガイドの下方に設けられた露受けリブが、ドレン水の冷却によって生じた露受けガイドの水滴を受け止め、ドレンパンに排水するようにしているので、露受けガイドに付着し、滴下するドレン水を確実に回収することができるという効果を奏する。
【００５６】
つぎの発明によれば、露受けガイドの先端部の水平位置を、ドレンパンの先端部の水平位置から該ドレンパン内部側に引き込んだ位置に設け、露受けガイドの水滴をドレンパン上に確実に滴下させるようにしているので、露受けガイドに付着し、滴下するドレン水を確実に回収することができるという効果を奏する。
【００５７】
つぎの発明によれば、露受けガイドの挿入部が、補助熱交換器と垂直部との間に挿入され、露受けガイドの動きを規制し、露受けガイドの傾斜を維持し、ドレン水の良好な排水を維持するようにしているので、露受けガイドの動きを規制し、ドレン水の良好な排水を維持することができるという効果を奏する。
【００５８】
つぎの発明によれば、露受けガイドを摺動性の高いポリプロピレン材またはポリオキシメチレン材によって形成し、露受けガイドの擦れによる異音をなくすようにしているので、異音のない空気調和機を実現することができるという効果を奏する。
【図面の簡単な説明】
【図１】  この発明の実施の形態１である空気調和機の構成を示す断面図である。
【図２】  この発明の実施の形態２である空気調和機の露受けガイド近傍の構成を示す断面図である。
【図３】  この発明の実施の形態３である空気調和機の露受けガイド近傍の構成を示す断面図である。
【図４】  この発明の実施の形態４である空気調和機の露受けガイド近傍の構成を示す断面図である。
【図５】  この発明の実施の形態５である空気調和機の露受けガイド近傍の構成を示す断面図である。
【図６】  この発明の実施の形態６である空気調和機の露受けガイド近傍の構成を示す断面図である。
【図７】  この発明の実施の形態７である空気調和機の露受けガイド近傍の構成を示す断面図である。
【図８】  従来の空気調和機の構成を示す断面図である。
【符号の説明】
１  室内ユニット本体、１ａ  吸込口、１ｂ  吸出口、２  熱交換器、２ａ  垂直部、２ｂ  後方傾斜部、２ｃ  下方傾斜部、３  補助熱交換器、４  露受けガイド、４ａ，４ｆ  係止部、４ｂ  先端部、４ｃ  熱交端部、４ｅ  挿入片、５  伝熱管、６  ドレン水、７  ドレンパン、８  水滴、９  Ｖ字状溝部、１０送風ファン。
【図１】
0003822428.tif 000002
【図２】
0003822428.tif 000003
【図３】
0003822428.tif 000004
【図４】
0003822428.tif 000005
【図５】
0003822428.tif 000006
【図６】
0003822428.tif 000007
【図７】
0003822428.tif 000008
【図８】
0003822428.tif 000009